(57)【要約】【課題】足場に手摺等の墜落防止手段を容易に、安全にかつ水平に取り付けることが可能な墜落防止装置を提供する。【解決手段】本発明の墜落防止装置は、水平に設けられた布板９から高さ方向に延びる対をなす支柱１５、１５を有する足場に用いられる。この墜落防止装置は、第１方向に第１長さで延びる長尺部１と、長尺部１の一端に設けられ、水平材１３ａに保持可能な保持部３と、長尺部１の他端に設けられ、支柱１５に固定されるとともに、第１方向と直交する第２方向に手摺１１を固定可能な直交クランプ５と、長尺部１に保持部３から第１長さより短い第２長さで設けられ、第２方向に手摺１７を固定可能な単クランプ７とを有する。【選択図】図１
2010285823.tif 000002
【特許請求の範囲】
【請求項１】
水平に設けられた作業床から高さ方向に延びる対をなす支柱を有する足場に用いられる墜落防止装置であって、
第１方向に第１長さで延びる長尺部と、該長尺部の一端に設けられ、水平材又は前記作業床に保持可能な保持部と、該長尺部の他端に設けられ、前記支柱に固定されるとともに、該第１方向と直交する第２方向に手摺を固定可能な第１固定部と、該長尺部に該保持部から該第１長さより短い第２長さで設けられ、該第２方向に墜落防止手段を固定可能な第２固定部とを有することを特徴とする墜落防止装置。
【請求項２】
前記長尺部には、前記保持部から前記第２長さより短い第３長さで設けられ、前記第２方向に落下防止手段を固定可能な第３固定部を有する請求項１記載の墜落防止装置。
【発明の詳細な説明】
【技術分野】
【０００１】
本発明は墜落防止装置に関する。
【背景技術】
【０００２】
特許文献１、２等に記載されているように、建設現場では、建設物の周囲で作業員が作業を行ったり、作業員が通路として利用したりするための足場が組み立てられる。
【０００３】
例えば、単管足場は、複数本の単管と呼ばれる鉄パイプ、複数個のブラケット、複数個のクランプ、複数の作業床等からなる。各ブラケットは、組み立てられた足場において水平となる水平材と、一端が水平材に固定され、水平材に対して傾斜した斜材とが設けられている。一般的なブラケットでは、水平材の一端と、斜材の他端とに支柱に固定されるクランプ部が設けられている。作業床の一例である一般的な布板は、長尺状の枠材と、枠材の上面に張られた網材とを有している。枠材の両端にはブラケットの水平材に係止される２個のフックが固定されている。クランプとしては、一方のクランプ部と他方のクランプ部とが直交する状態で固定されている直交クランプ、一方のクランプ部と他方のクランプ部とがなす角度を自在に変化させ得る自在クランプ等が採用される。
【０００４】
この単管足場はおよそ次のようにして組み立てられる。まず、複数本の単管を垂直に立てて支柱とし、２本の支柱間又は１本の支柱にブラケットを設ける。この際、各支柱にブラケットのクランプ部を固定する。そして、一対のブラケットを水平に設け、各ブラケットの各水平材に布板のフックを係止する。低い位置へのブラケット及び布板の組み立てが終了すれば、作業員自らがそれら布板の網材上に上がり、高い位置へのブラケット及び布板の組み立てを行う。各布板上から見て、高さ方向に対をなす支柱が存在すれば、作業員の安全のために水平に手摺も固定する。この際、２本の支柱のぞれぞれに直交クランプの一方のクランプ部を固定する。そして、両直交クランプを水平に設け、各直交クランプの他方のクランプ部で単管を水平に挟持する。その単管が手摺となる。こうして、単管足場が組み立てられる。
【０００５】
また、くさび緊結式足場は、複数本の支柱、複数個のブラケット、複数の作業床、手摺等からなる。各支柱には、高さ方向に一定間隔でポケットが設けられている。一般的なブラケットでは、支柱のポケット内に差し込まれるくさびが水平材の両端に固定されている。くさび緊結式足場では、踏板が作業床として用いられる。踏板も、長尺状の枠材と、枠材の上面に張られた網材とを有している。枠板の両端にはブラケットの水平材に係止されるフックが固定されている。各手摺の両端にも支柱のポケット内に差し込まれるくさびが固定されている。
【０００６】
このくさび緊結式足場はおよそ次のようにして組み立てられる。まず、複数本の支柱を垂直に立て、２本の支柱間又は１本の支柱にブラケットを設ける。この際、各支柱のポケットにブラケットのくさびを差し込み、ハンマー等でこのくさびを打ち込む。そして、一対のブラケットの各水平材に踏板のフックを係止し、踏板を水平に組み立てる。各踏板上から見て、高さ方向に対をなす支柱が存在すれば、作業員の安全のため、各支柱のポケットに手摺のくさびを差し込み、ハンマー等でこのくさびを打ち込む。こうして、くさび緊結式足場が組み立てられる。
【０００７】
この単管足場やくさび緊結式足場は、戸建住宅や低層又は中層のビルを建設する場合に多く採用されている。作業員は、その足場を利用し、作業等を行うことが可能である。
【先行技術文献】
【特許文献】
【０００８】
【特許文献１】実願昭６１−６２１４４号公報
【特許文献２】特開平１０−３３１４１１号公報
【発明の概要】
【発明が解決しようとする課題】
【０００９】
しかし、上記単管足場で手摺を設ける場合、２本の支柱のぞれぞれにブラケットの水平材又は布板からほぼ同一の高さで直交クランプを固定しなければならない。
【００１０】
各水平材等の上に１本の手摺を設ければ足りる場合には、１本の支柱に対して作業員の腰の高さで直交クランプを固定した後、隣の支柱に設けた直交クランプとの間に手摺を設け、水平器でその手摺が水平になっている状態でその直交クランプを固定する等すればよい。その作業はさほど面倒でなく、また危険でもなく、かつその手摺を水平にすることが可能である。
【００１１】
しかしながら、作業員のより安全のため、各水平材等の上に２本以上の水平な手摺を設けた方が好ましい場合がある。それにより、作業床と手摺との間隔及び各手摺同士の間隔が狭くなり、作業員がより安全になるからである。この場合、最も上の手摺を作業員の腰の高さとすれば、それ以外の手摺については、作業員が屈みながら直交クランプを固定する必要がある。その作業は面倒であり、また危険を伴い、かつ手摺の水平度もばらつき易い。この不具合は、くさび緊結式足場において、ポケット以外の位置で手摺を設けようとする場合にも当てはまる。
【００１２】
本発明は、上記従来の実情に鑑みてなされたものであって、足場に手摺等の墜落防止手段を容易に、安全にかつ水平に取り付けることが可能な墜落防止装置を提供することを解決すべき課題としている。
【課題を解決するための手段】
【００１３】
本発明の墜落防止装置は、水平に設けられた作業床から高さ方向に延びる対をなす支柱を有する足場に用いられる墜落防止装置であって、
第１方向に第１長さで延びる長尺部と、該長尺部の一端に設けられ、水平材又は前記作業床に保持可能な保持部と、該長尺部の他端に設けられ、前記支柱に固定されるとともに、該第１方向と直交する第２方向に手摺を固定可能な第１固定部と、該長尺部に該保持部から該第１長さより短い第２長さで設けられ、該第２方向に墜落防止手段を固定可能な第２固定部とを有することを特徴とする（請求項１）。
【００１４】
本発明の墜落防止装置を単管足場に採用し、各水平材又は作業床からほぼ同一の高さで２本以上の手摺を設ける場合には、およそ次のように行う。まず、作業員は、作業床上に上がり、各作業床上から見て高さ方向に対をなす支柱が存在すれば、墜落防止装置の第１固定部を上方にし、保持部を下方にした状態として、長尺部を支柱に沿わせる。そして、保持部を水平材又は作業床に保持し、第１固定部を支柱に固定する。各支柱に対してこの作業を行う。これにより、各墜落防止装置の第１固定部は、水平材又は作業床から長尺部の第１長さだけ離れた高さで各支柱に固定されることとなる。このため、各墜落防止装置の第１固定部に手摺を固定すれば、最も上の手摺が水平材又は作業床から第１長さだけ離れた高さで水平に固定されることとなる。
【００１５】
次いで、各墜落防止装置の第２固定部に手摺等の墜落防止手段を固定する。これにより、上の手摺よりも低い位置の手摺等が水平材又は作業床から第２長さだけ離れた高さで水平に固定されることとなる。この際、最も上の手摺が作業員の腰の高さであっても、それ以外の手摺等について、作業員が屈みながら従来の直交クランプを固定する必要がない。このため、各水平材等の上に２本以上の手摺を容易にかつ安全に設けることができ、かつ水平度もばらつかない。
【００１６】
本発明の墜落防止装置をくさび緊結式足場に採用する場合には、本発明の墜落防止装置の技術的範囲内において、支柱のポケットによる凸部を回避するように長尺部を変形すれば、ポケット以外の位置で手摺等を容易に安全にかつ水平に設けることもできる。
【００１７】
したがって、本発明の墜落防止装置によれば、足場に２本以上の手摺等を容易に、安全にかつ水平に取り付けることが可能になる。つまり、この墜落防止装置によれば、作業員は、手摺等の取り付け自体を容易かつ安全に行い、その後の作業も安全に行うことが可能になる。また、この墜落防止装置を用いた足場は優れた美観も呈することが可能である。
【００１８】
作業床は、作業員がその上を通行したり、その上に乗って作業をしたりする部材をいい、布板、踏板、足場板、床付き布枠等であってもよい。また、水平材は、作業床を水平に保持する部材をいい、足場用板受けであってもよく、ビテイ枠足場で用いられる建枠の横架材であってもよい。また、水平材をブラケットによって組み立てている足場においては、ブラケットとして、くさび緊結式足場用ブラケットの他、石積みブラケット、法面ブラケット等を採用することが可能である。
【００１９】
第２固定部は、第１固定部と保持部との間に少なくとも一つあればよい。第２固定部は、墜落防止手段を固定可能であればよく、クランプ、フック、レール等、種々のものが採用される。第２固定部に固定される墜落防止手段は、手摺（中さん）の他、防音パネル、ネットフレーム、金網等が含まれる。
【００２０】
本発明の墜落防止装置において、長尺部には、保持部から第２長さより短い第３長さで設けられ、第２方向に落下防止手段を固定可能な第３固定部を有することが好ましい（請求項２）。
【００２１】
この場合には、墜落防止手段よりも低い位置に落下防止手段を固定することができる。これにより、小さな工具等が作業床から落下することを防止できる。第３固定部は、落下防止手段を固定可能であればよく、クランプ、フック、レール等、種々のものが採用される。この第３固定部に固定される落下防止手段には、下さんの他、幅木や手摺枠が含まれる。
【図面の簡単な説明】
【００２２】
【図１】実施例１の墜落防止装置の斜視図である。
【図２】実施例１の墜落防止装置を単管足場に組み付けた状態を示す斜視図である。
【図３】実施例２の墜落防止装置の斜視図である。
【図４】実施例２の墜落防止装置を単管足場に組み付けた状態を示す斜視図である。
【発明を実施するための形態】
【００２３】
以下、本発明を具体化した実施例１、２を図面１〜４を参照しつつ説明する。
【００２４】
（実施例１）
実施例１の墜落防止装置は、図１に示すように、長尺部１と、保持部３と、第１固定部としての直交クランプ５と、第２固定部としての単クランプ７とを有している。
【００２５】
長尺部１は第１方向（図では高さ方向）に延びる板材からなる。長尺部１の長さ（第１長さ）は、図２に示すように、作業床としての布板９上に労働安全衛生規則の規定を満たす高さの手摺１１を設けることができる長さであり、この実施例１では９０ｃｍとしている。なお、長尺部１は、板状に限られず、筒状等であってもよい。また、長尺部１の材質は、手摺１１及び作業員の体重等の重量に耐え得る材質であれば、その種類は限定されない。
【００２６】
図１に示すように、長尺部１の一端（図では下端）には保持部３が設けられている。保持部３は長尺部１の一端に溶接によって固定されている。保持部３は、長尺部１の下端を掴むように湾曲している。保持部３の湾曲は、図２に示すように、ブラケット１３の水平材１３ａと整合するようになっている。なお、長尺部３の一端に切欠きを形成し、その切欠きを保持部としてもよい。
【００２７】
図１に示すように、長尺部１の他端（図では上端）には直交クランプ５がねじ止めによって固定されている。直交クランプ５は、長尺部１の裏面に固定され、長尺部１と平行な単管を支柱１５（図２参照）として挟持可能な第１クランプ部５ａと、長尺部１の表面に固定され、長尺部１と直交する単管を手摺１１（図２参照）として挟持可能な第２クランプ部５ｂとからなる。第１、２クランプ部５ａ、５ｂ自体の構成は公知である。なお、直交クランプ５と長尺部１との固定は、ねじ止めの他、溶接等であってもよい。
【００２８】
長尺部１のほぼ中央の表面には単クランプ７がねじ止めによって固定されている。単クランプ７は、図２に示すように、長尺部１と直交する単管を手摺（中さん）１７として挟持可能である。保持部３から単クランプ７までの長さ（第２長さ）は、第１長さより短く、布板９上に労働安全衛生規則の改正規定（平成２１年厚生労働省令第２３号）を満たす高さの手摺１７を設けることができる長さであり、この実施例１では４０ｃｍとしている。単クランプ７自体の構成は公知である。なお、単クランプ７と長尺部１との固定は、ねじ止めの他、溶接等であってもよい。
【００２９】
このように構成された実施例１の墜落防止装置は単管足場に採用される。まず、単管足場がおよそ次のようにして組み立てられる。初めに、複数本の単管を垂直に立てて支柱１５、１５等とし、２本の支柱１５、１５間にブラケット１３を設ける。
【００３０】
ブラケット１３は、組み立てられた足場において水平となる水平材１３ａと、一端が水平材１３ａに固定され、水平材１３ａに対して傾斜した斜材１３ｂとが設けられている。水平材１３ａの一端にはクランプ部１３ｃが固定されており、斜材１３ｂの他端にはクランプ部１３ｄが固定されている。
【００３１】
布板９は、長尺状の枠材９ａと、枠材９ａの上面に張られた網材９ｂとを有している。枠材９ａの両端にはブラケット１３の水平材１３ａに係止される２個のフック９ｃ、９ｄが固定されている。
【００３２】
そして、各支柱１５、１５にブラケット１３のクランプ部１３ｃ、１３ｄを固定する。一対のブラケット１３の水平材１３ａを水平に設け、各水平材１３ａに布板９のフック９ｃ、９ｄを係止する。低い位置へのブラケット１３及び布板９の組み立てが終了すれば、作業員自らがそれら布板９の網材９ｂ上に上がり、高い位置へのブラケット１３及び布板９の組み立てを行う。
【００３３】
各布板９上から見て、高さ方向に対をなす支柱１５、１５が存在すれば、作業員の安全のために手摺１１、１７を固定する。この際、作業員は、墜落防止装置の直交クランプ５を上方にし、保持部３を下方にした状態として、長尺部１を支柱１５に沿わせる。そして、保持部３を水平材１３ａに保持し、直交クランプ５の第１クランプ部５ａを支柱１５に固定する。保持部３を布板９に保持させてもよい。各支柱１５に対してこの作業を行う。これにより、各墜落防止装置の直交クランプ５は、水平材１３ａから長尺部１の第１長さだけ離れた高さで各支柱１５に固定されることとなる。このため、各墜落防止装置の直交クランプ５の第２クランプ部５ｂに手摺１１を固定すれば、最も上の手摺１１が水平材１３ａから第１長さだけ離れた高さで水平に固定されることとなる。
【００３４】
次いで、各墜落防止装置の単クランプ７に手摺１７を固定する。これにより、上の手摺１１よりも低い位置の手摺１７が水平材１３ａから第２長さだけ離れた高さで水平に固定されることとなる。この際、最も上の手摺１１が作業員の腰の高さであっても、それ以外の手摺１７について、作業員が屈みながら従来の直交クランプを固定する必要がない。このため、各水平材１３ａの上に２本の手摺１１、１７を容易にかつ安全に設けることができ、かつ高さもばらつかない。こうして、単管足場が組み立てられる。
【００３５】
なお、くさび緊結式足場において、ポケット以外の位置で手摺１１、１７を容易にかつ安全に設けることもできる。
【００３６】
したがって、実施例１の墜落防止装置によれば、足場に２本の手摺１１、１７を容易に、安全にかつ美しく取り付けることが可能になる。つまり、この墜落防止装置によれば、作業員は、手摺１１、１７の取り付け自体を容易かつ安全に行い、その後の作業も安全に行うことが可能になる。また、この墜落防止装置を用いた足場は優れた美観も呈することが可能である。
【００３７】
（実施例２）
実施例２の墜落防止装置は、図３に示すように、長尺部１にレール１９が溶接によって固定されている。レール１９は、断面がコ字状に形成されており、幅木２１を係止できるようになっている。レール１９の下端における保持部３からの長さ（第３長さ）は、第２長さより短く、この実施例２では０ｃｍとしている。他の構成は実施例１と同一であり、同一の構成については同一の符号を付して詳細な説明を省略する。
【００３８】
この墜落防止装置では、図４に示すように、手摺１７よりも低い位置に幅木２１を固定することができることから、小さな工具等が布板９から落下することを防止できる。レール２１と長尺部１との固定は、溶接の他、ねじ止め等であってもよい。
【００３９】
以上において、本発明を実施例１、２に即して説明したが、本発明は実施例１、２に制限されるものではなく、その趣旨を逸脱しない範囲で適宜変更して適用できることはいうまでもない。例えば、直交クランプ５の第２クランク部５ｂに代えて防音パネル等を固定できるようにしてもよい。また、レール１９に代えて手摺（下さん）等を固定できるようにしてもよい。
【産業上の利用可能性】
【００４０】
本発明は、単管足場、くさび緊結式足場等の足場に利用可能である。
【符号の説明】
【００４１】
９…布板（作業板）
１５…支柱
１…長尺部
１３ａ…水平材
３…保持部
１１…手摺
５…第１固定部（直交クランプ）
１７…墜落防止手段（手摺（中さん））
７…第２固定部（単クランプ）
２１…落下防止手段（幅木）
９…第３固定部（レール）
【図１】
2010285823.tif 000003
【図２】
2010285823.tif 000004
【図３】
2010285823.tif 000005
【図４】
2010285823.tif 000006